(57)【要約】【課題】壁の出隅と入隅の両方に使用でき、施工性の良い壁の隅構造を得ることができる。【解決手段】断面略正方形の角材４であって、この角材４の対角線上に位置する一方の相対向する角６の横断面が矩形状に切り欠かれた第１の切欠き９と、角材４の対角線上に位置する他方の相対向する角７のうち先端側の角８ａに形成された円弧面１１と、この他方の相対向する角７のうち後端側の角８ｂの横断面が正方形状に切り欠かれた第２の切欠き１３とを備え、二つの第１の切欠き９は互いに対称形状に形成され、第１の切欠き９、円弧面１１および第２の切欠き１３は角材４の長手方向全体にわたって形成される。【選択図】        図１
2004162347.tif 000002
【特許請求の範囲】
【請求項１】
断面略正方形の角材であって、該角材の対角線上に位置する一方の相対向する角の横断面が矩形状に切り欠かれた第１の切欠きと、前記角材の対角線上に位置する他方の相対向する角のうち一方の側の角に形成された平面または凸状に形成された曲面と、該他方の相対向する角のうち他方の側の角の横断面が正方形状に切り欠かれた第２の切欠きとを備え、前記一方の相対向する二つの第１の切欠きは前記他方の相対向する角を結ぶ対角線を境にして線対称に形成され、該第１の切欠き、前記平面または曲面および前記第２の切欠きは前記角材の長手方向全体にわたって形成されてなるコーナー材。
【請求項２】
断面略矩形の角材であって、該角材の一方の側の両角の横断面が矩形状に切り欠かれた切欠きと、前記角材の他方の側に開口する溝とを備え、該溝は、該溝の底が凹状に形成された第１の溝と、該第１の溝に延在し９０度の夾角を有する第２の溝とを有し、前記第１の溝に対応する前記角材が曲げ可能であるように形成され、前記切欠きおよび前記溝は前記角材の長手方向全体にわたって形成されてなるコーナー材。
【請求項３】
断面略矩形の角材であって、該角材の一方の側の両角の横断面が矩形状に切り欠かれた切欠きと、前記角材の他方の側に開口する溝と、前記切欠きが形成された前記角材の前記一方の側に設けられた化粧シートとを備え、前記溝は略Ｍ字状に形成された第１の溝と、該第１の溝に延在し９０度の夾角を有する第２の溝とを有し、前記第１の溝の二つの最下部は前記化粧シートの裏面に達するまで切り欠かれ、前記切欠きおよび前記溝は前記角材の長手方向全体にわたって形成されてなるコーナー材。
【発明の詳細な説明】
【０００１】
【発明の属する技術分野】
本発明は、壁の隅に使用するコーナー材に関するものである。
【０００２】
【従来の技術】
従来、壁の隅の構造（壁の隅構造）としては、たとえば図１１（Ａ）、（Ｂ）に示すものが知られている。図１１（Ａ）は、出隅の例で柱１００に沿って張られた石膏ボード１０１の外側下部に、床に沿って幅木１０２が設けられている。幅木の先端部分の形状は４５度に切断され、いわゆる留めカットと称される切断形状に形成されている。また、図１１（Ｂ）は、入隅の例で柱１００に沿わせた二つの添柱１０３の隅に石膏ボード１０１が張られ、その外側下部に床に沿って幅木１０２が設けられている。この場合も、幅木１０２の先端部分の形状は４５度に切断された留めカットと称される切断形状に形成されている。
【０００３】
また、別の隅構造として、断面が正方形の三つの角が矩形状に切り欠かれた切欠きを有し、この切欠きの角度がいずれも鋭角をなすコーナー材が知られている。このコーナー材の三つの切欠きの真中の切欠きに柱の角を当接させ、残りの二つの切欠きにそれぞれ化粧壁板を押し当てて壁の隅構造としたものが知られている（特許文献１参照）。
【０００４】
【特許文献１】
実公昭５０−１２９００号公報（第１頁、第１図、第２図）
【０００５】
【発明が解決しようとする課題】
しかしながら、図１１（Ａ）、（Ｂ）に示した壁の隅構造は、二つの幅木１０２が突き合うコーナー部分を留めカットするので、切断する際の精度が要求され、切断加工に当たっては加工設備、工具、作業方法、その他の面において十分な配慮が必要であった。さらに、この幅木を用いて留め構造を形成することは、二つの幅木を正確に突き合わせなければならないので施工が煩雑であった。また、この隅構造は角が突き出しており、衝突などにより幅木側、人側とも双方に傷害の危険性が大きかった。
【０００６】
他方、断面が正方形の三つの角を矩形状に切り欠いたコーナー材を使用する壁の隅構造は、出隅に使用されるもので入隅に対しては考慮されていない。また出隅の角は角張っており、衝突などにより傷害の危険性も大きい。
【０００７】
本発明は、出隅と入隅の両方に使用でき、かつ施工性が良いことを課題とする。
【０００８】
【課題を解決するための手段】
上記課題を解決するため、本発明は、断面略正方形の角材であって、この角材の対角線上に位置する一方の相対向する角の横断面が矩形状に切り欠かれた第１の切欠きと、角材の対角線上に位置する他方の相対向する角のうち一方の側の角に形成された平面または凸状に形成された曲面と、この他方の相対向する角のうち他方の側の角の横断面が正方形状に切り欠かれた第２の切欠きとを備える。さらに、一方の相対向する二つの第１の切欠きは他方の相対向する角を結ぶ対角線を境にして線対称に形成され、これら第１の切欠き、平面または曲面および第２の切欠きは角材の長手方向全体にわたって形成されてなることを特徴とする。
【０００９】
このようにすることにより、第１の切欠きは断面略正方形の角材の対角線上に位置する相対向する角に位置し、かつ矩形状に切り欠かれた形状であるので、第１の切欠きに幅木などの化粧材の木口を突き当てることにより出隅または入隅に形成できる。また、第２の切欠きは、他方の相対向する角のうち他方の側の角の横断面が正方形状に切り欠かれるので、横断面が二等辺のＬ字状に切り欠かれる。このＬ字状の切欠きに柱の角を押し当てることによりコーナー材の位置決めをすることができる。
【００１０】
さらに、第１の切欠きと第２の切欠きの間に形成された突起に化粧材の裏当材を突き合わせまたは当接させることができるので、壁の隅に裏当材を設けることができる。さらに、角材の他方の相対向する角のうち、一方の側（先端側）の角は平面または凸状に形成された曲面であるので、角張っておらず衝突による傷害の危険性が小さい。また、本発明のコーナー材は、従来のように化粧材を留めカットする必要がないので、化粧材の加工がし易くなる。このようなコーナー材を使用する壁の隅構造は、従来のように留めカットされた部材を突き合わせる必要もないので、壁の出隅または入隅の施工性が良い。
【００１１】
また、断面略矩形の角材であって、この角材の一方の側の両角の横断面が矩形状に切り欠かれた切欠きと、角材の他方の側に開口する溝とを備える。溝は、この溝の底が凹状に形成された第１の溝と、この第１の溝に延在し９０度の夾角を有する第２の溝とを有する。さらに、第１の溝に対応する角材が曲げ可能であるように形成され、切欠きおよび溝は角材の長手方向全体にわたって形成されてなることを特徴とする。
【００１２】
このようにすることにより、第１の溝の底は凹状に形成され、この第１の溝の底に対応する角材が曲げ可能であるように形成されるので、このコーナー材を第１の溝のところで曲げることにより第１の溝に対応する角材は凸曲面状に曲がる。さらに、第２の溝は、第１の溝に延在し９０度の夾角を有するので、コーナー材を９０度曲げることができ、９０度の夾角を形成する面は当接する。
【００１３】
このとき、角材の一方の側の両角の切欠きは、上記当接面を境にして線対称に位置し、二つの切欠きは互いに９０度のずれをもって位置しているので、これら二つの切欠きに化粧材を突き合わせることにより出隅または入隅を形成できる。先のコーナー材と同様に、このコーナー材を使用することにより壁の出隅または入隅の施工性が良い。また、コーナー材の曲げられた部分は、曲面状に曲げられるので異物や人の衝突による傷害の危険性が小さい。また、本コーナー材は、運搬ないし輸送の際に、曲げる前の比較的平坦な部材の状態で重ねた束とすることにより、運搬ないし輸送の効率を良くすることができる。
【００１４】
さらに、第１の溝の表面に軟質材を設けると良い。軟質材の厚みは第１の溝の底の両縁から第１の溝の底の中央に向かって漸次厚くなるように設けると良い。こうすると、このコーナー材が溝のところで曲げられるときに、第１の溝に対応する角材とともに軟質材も曲げられる。このため第１の溝に対応する角材および軟質材の局部的な曲げ応力が緩和され、第１の溝に対応する角材全体の曲げ応力が平均化されるとともに曲率半径が大きくなり滑らかな曲面に曲げられる。
【００１５】
そして、曲げられたコーナー材の形状は、凸曲面状に曲げられ、丸みのある隅形状となり高級感のある出隅または入隅が得られる。その上、第１の溝の底表面に軟質材を設けることにより、このコーナー材への異物や人などの衝突によるコーナー材自体の損傷、あるいは異物や人側の損傷が防止される。
【００１６】
また、断面略矩形の角材であって、この角材の一方の側の両角の横断面が矩形状に切り欠かれた切欠きと、角材の他方の側に開口する溝と、切欠きが形成された角材の一方の側に設けられた化粧シートとを備え、溝は略Ｍ字状に形成された第１の溝と、この第１の溝に延在し９０度の夾角を有する第２の溝とを有し、第１の溝の二つの最下部は化粧シートの裏面に達するまで切り欠かれ、切欠きおよび溝は角材の長手方向全体にわたって形成されてなることを特徴とする。
【００１７】
このようにすることにより、第１の溝は略Ｍ字状に形成され、この第１の溝の二つの最下部は化粧シートの裏面に達するまで切り欠かれる。そして、化粧シートは可撓性を有するので、このコーナー材を第１の溝のところで曲げることにより第１の溝に対応する角材部分は平面となる。さらに、第２の溝は、第１の溝に延在し９０度の夾角を有するので、コーナー材を９０度曲げることができ、９０度の夾角を形成する面は当接する。
【００１８】
このとき、角材の一方の側の両角の切欠きは、上記当接面を境に線対称に位置し、二つの切欠きは互いに９０度のずれをもって位置しているので、これら二つの切欠きに化粧材を突き合わせることにより出隅または入隅を形成できる。先のコーナー材と同様に、このコーナー材を使用することにより壁の出隅または入隅の施工性が良い。また、コーナー材の曲げられた部分は、平面となるので異物や人の衝突による傷害の危険性が小さい。また、本コーナー材は、運搬ないし輸送の際に、曲げる前の比較的平坦な部材の状態で重ねた束とすることにより、運搬ないし輸送の効率を良くすることができる。そして、曲げられたコーナー材の形状は、多角状に曲げられた隅形状となり高級感のある出隅または入隅が得られる。
【００１９】
次に本発明を構成する各要件についてさらに詳しく説明する。本発明のコーナー材において、その第１の切欠きの横断面形状はＬ字状になるが、この横断面においてコーナー材の先端側に位置する先端側辺（または先端側面）の幅は、出隅の場合、化粧材の厚さより大きくし、たとえば化粧材の厚さプラス１〜３ｍｍなどとする。
【００２０】
また、この横断面において突起側を形成する突起側辺（または突起側面）の幅は、入隅の場合、化粧材の厚さに略等しくするか若干大きくし、たとえば化粧材の厚さプラス０．１〜１ｍｍなどとする。コーナー材の先端側に形成される平面または曲面は、異物や人が突き当たったときに傷害を受けたり、与えたりしない形状であれば特に限定されないが、平面または曲面とし、さらにこの表面に意匠的な凹凸や溝などが施されても良い。
【００２１】
コーナー材（または角材）の材質は、木質繊維材（ＭＤＦなど）、木削片材、単板積層材などの木質系、スチロール樹脂、塩化ビニル樹脂、強化プラスチック、発泡スチロール樹脂、発泡ウレタン樹脂などの合成樹脂系、あるいは木質系や合成樹脂系の複合材などを使用できる。第１の切欠きと第２の切欠きとの間に形成された突起の端面は、平坦であることが好ましい。壁下地材は、化粧材を壁に設けることができれば特に限定されないが、たとえば石膏ボードなどが使用される。
【００２２】
コーナー材の第２の切欠きに当接される裏当材は、出隅の場合には、壁下地材の厚さがコーナー材の突起先端の幅より大きいときに調整材として設けられる。入隅の場合には、コーナー材の突起先端と柱の表面の延長面との間に壁下地材が挿入できるようにする調整材として設けられる。第１の溝の底は、凹状に形成されるが、その形状は、たとえば円弧面、楕円面、その他の曲面の一部などとしても良い。
【００２３】
第１の溝の底の表面に設ける軟質材は、弾力性を有する材料をはじめ、合成ゴム材や天然ゴム材あるいは気泡を有する発泡材や気泡を有しない未発泡材などで、たとえばスチレン・ブタジエン・スチレンブロック共重合体（ＳＢＳ）、スチレン・ブタジエン・ラバー（ＳＢＲ）、シリコン樹脂などの軟質合成樹脂材などである。
【００２４】
第１の溝に軟質材を設ける方法は、たとえばホットメルト法、すなわちスチレン・ブタジエン・スチレンブロック共重合体（ＳＢＳ）、シリコン樹脂などの熱可塑性樹脂を加熱溶融させたものを塗布または流し込みにより設けても良いし、スチレン・ブタジエン・ラバー（ＳＢＲ）やシリコン樹脂などを酢酸ビニル樹脂などの軟質材用接着剤で貼着して設けても良い。
【００２５】
コーナー材の少なくとも露出する面には化粧シートを設けると良い。化粧シートは、曲げ易く耐久性のあるもの、たとえば天然木材を切削して得られる天然突板、人工突板および不織布、紙、合成樹脂などのシートとしても良いし、可撓性を有する材料のシートに各種模様を印刷したものとしても良い。化粧シートとして用いる合成樹脂は、たとえばオレフィン樹脂、塩化ビニル樹脂、ポリエステル樹脂、アクリル樹脂などとしても良い。さらに、化粧シートとして、上記合成樹脂シートの間に紙を挟んで圧着した複合シート、合成樹脂を含浸させた含浸紙なども利用できる。化粧シートの厚みは、たとえば０．０５〜１ｍｍの範囲である。
【００２６】
略Ｍ字状に形成された第１の溝において、二つのＶ字状の小溝の夾角は少なくとも４５度に等しいか大きくする。こうすると第１の溝のところで曲げられる角度は９０度とすることができる。
【００２７】
【発明の実施の形態】
以下、本発明に係るコーナー材の実施形態を図面に基づいて詳細に説明する。なお、図１〜１０において、同一または同等部分には同一符号を付けて示す。
【００２８】
図１は、本発明に係るコーナー材の第１実施形態を示す断面図である。第１実施形態のコーナー材１は、２点鎖線で示す断面略正方形の角材４の対角線上に位置する一方の相対向する角６の横断面が矩形状に切り欠かれた第１の切欠き９と、角材４の対角線上に位置する他方の相対向する角７のうち先端側（一方の側）の角８ａに形成された円弧面１１と、この他方の相対向する角７のうち後端側（他方の側）の角８ｂの横断面が正方形状に切り欠かれた第２の切欠き１３とを備える。
【００２９】
さらに、二つの第１の切欠き９は互いに角７、７を結ぶ対角線を境にして対称形状に形成され、これら第１の切欠き９、円弧面１１および第２の切欠き１３は角材の長手方向全体にわたって形成される。また、第１の切欠き９と第２の切欠き１３との間には突起１５、１５が形成される。
【００３０】
第１の切欠き９の横断面形状はＬ字状になるが、このＬ字状を形成する二つの辺（または二つの面）のうちコーナー材の先端側に位置する先端側辺（先端側面）１０ａの幅Ｂ１は、出隅の場合、この第１の切欠き９に突き合わされる幅木などの化粧材の厚さｔより大きくし、たとえば化粧材の厚さｔプラス１〜３ｍｍなどとする。また、この横断面において二つの辺のうち突起１５側を形成する突起側辺（突起側面）１０ｂの幅Ｂ２は、入隅の場合、化粧材の厚さｔに略等しくするか若干大きくし、たとえば化粧材の厚さｔプラス０．３ｍｍなどとする。
【００３１】
コーナー材１の先端側の面は、異物や人などが突き当たったときに双方に傷害を受けない形状であれば特に限定されないが、たとえば図１に示すように円弧面とし、この円弧面に意匠的な凹凸や溝を形成しても良い。さらに、第１の切欠き９と第２の切欠き１３との間に形成された突起１５、１５の端面１７、１７は平坦とする。コーナー材１（または角材４）の材質は、木質繊維材（ＭＤＦなど）である。
【００３２】
以上の構造を有する第１実施形態のコーナー材１は、次のように作用する。すなわち、図１において、第１の切欠き９は断面略正方形の角材４の対角線上に位置する角６に位置し、かつ角材の辺（面）に平行な面を持ち、Ｌ字状に切り欠かれた形状であるので、第１の切欠きの先端側面１０ａまたは後端側面１０ｂに幅木などの化粧材の木口を突き当てることにより出隅または入隅に形成できる。また、第２の切欠き１３は、他方の相対向する角７の横断面が正方形状に切り欠かれるので、２等辺の辺（面）を持ち、Ｌ字状に切り欠かれる。このＬ字状の切欠きに柱の角を押し当て、位置決めをすることができる。
【００３３】
さらに、角材の他方の相対向する角７のうち、先端側の角８ａは円弧面であるので、角張っておらず異物や人などの衝突による双方の傷害の危険性が小さい。また、コーナー材１を使用することにより、幅木などの化粧材は従来のように留めカットされる必要がないので、化粧材の加工がし易くなる。このようにして形成される壁の隅構造は、従来のように留めカットされた化粧材や壁下地材などの壁材が突き合わされる必要もないので、壁の出隅または入隅を施工する際の施工性が良い。
【００３４】
図２は、第１実施形態のコーナー材１を使用した壁の出隅構造を示す斜視図である。第１実施形態のコーナー材１を使用した壁の出隅構造は、コーナー材１と、このコーナー材１に突き合わせされる幅木（化粧材）３６と、コーナー材１の端面に突き合わせまたは当接される石膏ボード（壁下地材）４２と、コーナー材１に当接される図示されていない柱（図３の符号４６）とを備える。コーナー材１をはじめ、幅木３６や石膏ボード４２の少なくとも露出する面には化粧シートが設けられる。また、二つの石膏ボード４２、４２は留め結合されるが、これら石膏ボード４２、４２の木口下部は切り欠かれており、コーナー材１を避けている。
【００３５】
上記化粧シートとしては、たとえば天然木材を切削して得られる天然突板、人工突板および不織布、紙、合成樹脂などのシートや、可撓性を有する材料のシートに各種模様を印刷したものなどが使用される。化粧シートとして用いる合成樹脂は、たとえばオレフィン樹脂、塩化ビニル樹脂、ポリエステル樹脂、アクリル樹脂などである。
【００３６】
さらに、化粧シートとして、上記合成樹脂シートの間に紙を挟んで圧着した複合シート、合成樹脂を含浸させた含浸紙なども利用できる。化粧シートの厚みは、たとえば０．０６ｍｍである。なお、コーナー材１の上面１ａには意匠性を考慮して表面模様をつけた化粧シートやキャップを用い覆っても良い。また、コーナー材１の上面１ａの円弧状縁を面取りして曲面を形成しても良い。なお、符号３３は、コーナー材１の長手方向である。
【００３７】
図３は、図２における平面Ｐで切断した断面図である。コーナー材１を使用した壁の出隅構造は、先に記したように、コーナー材１、このコーナー材１の第１の切欠き９に突き合わせされた幅木３６、コーナー材１の第１の切欠き９と第２の切欠き１３との間に形成された突起１５の端面１７に突き合わせされた石膏ボード４２およびコーナー材１の第２の切欠き１３に当接される柱４６などで形成される。また、コーナー材の縁５と幅木３６の表面との間に距離を設けて、いわゆる「散り」を設けると意匠的に好ましくなる。なお、先に記したように、石膏ボードの露出する表面４３には化粧シートが設けられている。
【００３８】
図４は、第１実施形態のコーナー材１を使用した壁の入隅構造を示す断面図である。この壁の入隅構造は、柱４６およびこれに添わせた二つの添柱４８、４８で形成された隅に設けられたもので、これら柱４６および添柱４８と、第１実施形態のコーナー材１と、二つの添柱４８とコーナー材１との間に設けられた裏当材５０と、コーナー材の第１の切欠きの後端側面１０ｂに当接される幅木３６と、コーナー材の突起の端面１７と添柱４８との間で裏当材５０突き合わせられる石膏ボード４２とで形成される。
【００３９】
このように、裏当材５０を調整材として設けることにより、コーナー材１と添柱４８との間の空間に幅木３６および石膏ボード４２を設けることができ、壁の入隅構造を形成できる。図４における壁の入隅構造において、その他の構造と作用は、図３に示した壁の出隅構造と同じであるので、その説明を省略する。
【００４０】
図５は、第１実施形態のコーナー材１を使用した別の出隅構造を示す断面図である。コーナー材１の第２の切欠き１３に当接される裏当材５１は、石膏ボード４２の厚さがコーナー材の突起端面１７の幅より大きい場合の調整材として設けられる。出隅の場合、裏当材５１の形状は、横断面がＬ字状で、裏当材５１の端面木口は、突起の端面１７位置から外側に突出しないように形成される。裏当材５１の厚みは、石膏ボード４２の厚みと突起の端面１７の厚みとの差である。
【００４１】
このようにすることにより、石膏ボード４２の厚みが突起１５の端面１７の厚みより大きい場合であっても、石膏ボード４２を設けることができる。図５における壁の出隅構造において、その他の構造と作用は、図３に示した壁の出隅構造と同じであるので、その説明を省略する。
【００４２】
図６は、本発明に係るコーナー材の第２実施形態を示す断面図である。図７は、第２実施形態のコーナー材２を曲げた状態の断面図である。第２実施形態のコーナー材２は、断面略矩形の角材１８であって、この角材１８の表側（一方の側）２０の両角２１の横断面が矩形状に切り欠かれた切欠き２４と、角材１８の裏側（他方の側）２２に開口する溝２５とを備える。溝２５は、この底が円弧状に形成された第１の溝２６と、この第１の溝２６に延在し９０度の夾角を有する第２の溝２７とを有する。
【００４３】
さらに、第１の溝２６は、円弧面およびその両縁に立ち上がる垂直面を有する。第１の溝２６に対応する角材３０は、曲げ可能であるように薄く形成され、角材３０の両縁が最も厚く、中央が最も薄く形成される。さらに、第１の溝２６の円弧面には軟質材３４が設けられる。軟質材３４の厚みは、両側が最も薄く、溝の中央が最も厚く設けられている。そして、切欠き２４および溝２５は角材１８の長手方向（図６の紙面に垂直な方向）全体にわたって形成される。
【００４４】
第１の溝２６の表面に設ける軟質材３４は、弾力性を有する材料をはじめ、合成ゴム材や天然ゴム材あるいは気泡を有する発泡材や気泡を有しない未発泡材などで、たとえばスチレン・ブタジエン・スチレンブロック共重合体（ＳＢＳ）、スチレン・ブタジエン・ラバー（ＳＢＲ）、シリコン樹脂などの軟質合成樹脂材が含まれる。
【００４５】
第１の溝２６に軟質材３４を設ける方法は、たとえばホットメルト法、すなわちスチレン・ブタジエン・スチレンブロック共重合体（ＳＢＳ）、シリコン樹脂などの熱可塑性樹脂を加熱溶融させたものを塗布または流し込みにより設ける方法でも良いし、スチレン・ブタジエン・ラバー（ＳＢＲ）やシリコン樹脂などを酢酸ビニル樹脂などの軟質材用接着剤で貼着して設ける方法でも良い。
【００４６】
以上の構造を有する第２実施形態のコーナー材２は、次のように作用する。すなわち、図６において、第１の溝２６は円弧状に形成され、この第１の溝２６に対応する角材３０が曲げ可能であるように形成されるので、このコーナー材２を第１の溝２６のところで曲げることにより、図７に示すように、第１の溝２６に対応する角材３０は曲面状に曲がる。さらに、第２の溝２７は、第１の溝２６に延在し９０度の夾角を有するので、コーナー材２を９０度曲げることにより、９０度の夾角を形成する面２８は当接する。
【００４７】
このとき、角材１８の表側の両角２１の横断面が矩形状に切り欠かれた切欠き２４は、上記当接面２８を境に対称に位置し、二つの切欠き２４は互いに９０度のずれをもって位置しているので、これら二つの切欠き２４に幅木などの化粧材を突き合わせることにより出隅または入隅を形成でき、先のコーナー材１と同様に、壁の出隅または入隅を形成する際の施工性が良い。また、コーナー材２の曲げられた部分は、曲面状に曲げられるので衝突などによる傷害の危険性がコーナー材または異物や人など双方にとって小さい。また、コーナー材２は、曲げる前は略板状の部材であり、これを束ねたものを運搬ないし輸送できるので、運搬ないし輸送の効率が良い。
【００４８】
さらに、軟質材３４の厚みが第１の溝２６の両縁から第１の溝２６の中央に向かって漸次厚くなるように設けられるので、第１の溝２６のところで曲げられるときに角材３０とともに軟質材３４も曲げられる。このため第１の溝２６に対応する角材３０および軟質材３４の局部的な曲げ応力が緩和されるとともに曲率半径が大きくなり滑らかな曲面に曲げられる。そして、曲げられたコーナー材２の形状は、凸曲面状に曲げられ、丸みのある隅形状となり高級感のある出隅または入隅が得られる。
【００４９】
次に、第２実施形態のコーナー材２の製造方法について、図６、７を使用して説明する。コーナー材２の製造方法は、先ず断面略矩形の角材を準備し、その表面を切削して角材１８を形成する。次に、角材１８の表面側の両角２１に、横断面が矩形状になるように切欠き２４を切り欠く。さらに、角材の表面２０側に溝１９、裏面２２側に第１の溝２６および第２の溝２７を形成する。この場合、溝１９と第１の溝２６との間に角材３０が残るように切削される。次に、必要に応じて、成形した角材の表面側、特に溝１９の表面および溝１９と切欠き２４との間の凸部２３の表面に図示していない化粧シートを貼着する。そして、第１の溝２６の表面に熱可塑性樹脂などの軟質材３４を塗布または流し込む。
【００５０】
ホットメルト法により熱可塑性樹脂の軟質材３４を第１の溝２６に塗布または流し込む際に注意すべき点は、ホットメルトの温度が高すぎないことである。ホットメルトの温度が高いと、軟質材３４が第１の溝２６に塗布または流し込まれたときに、これに近い化粧シートが熱で軟化し、皺やひずみを発生するので、軟質材３４の塗布ないしし込み温度の管理を十分に行う。
【００５１】
第２実施形態のコーナー材２は、角材１８の裏側２２に開口する溝２５を備えることにより、溝２５の第１の溝２６に対応する角材３０を曲面状に曲げることができるが、さらに、第１の溝２６に軟質材３４を設けることにより、第１の溝２６に対応する角材３０や、この角材３０の表面に設ける化粧シートの物理的、機械的特性のバラツキを吸収し滑らかな曲面に曲げることができる。
【００５２】
特に、角材１８として中質繊維材（ＭＤＦ）を使用し、この中質繊維材に溝２５を形成することにより、中質繊維材の表裏層に比べ比重の低い中心層が溝２５の表面に露出するので、先の軟質材３４の密着（付着）強度を大きくする。また、中質繊維材は、方向性が無く、いずれの方向にも均質な材料であるので滑らかに曲げることが可能である。
【００５３】
図６、７の第２実施形態のコーナー材２およびこれを使用した壁の隅構造において、その他の部分の構造と作用は、図１〜５に示した第１実施形態のコーナー材１およびこれを使用した壁の出隅構造または壁の入隅構造と同じであるので、その説明を省略する。
【００５４】
図８は、本発明に係るコーナー材の第３実施形態を示す断面図である。第３実施形態のコーナー材３は、断面略矩形の角材１８であって、この角材１８の表側（一方の側）２０の両角２１の横断面が矩形状に切り欠かれた切欠き２４と、角材１８の裏側（他方の側）２２に開口する溝２５と、切欠き２４が形成された角材の表側２０に設けられた化粧シート４４とを備える。溝２５は略Ｍ字状に形成された第１の溝２６と、この第１の溝２６に延在し９０度の夾角を有する第２の溝２７とを有する。
【００５５】
第１の溝２６の二つの最下部２６ａは、化粧シート４４の裏面に達するまで切り欠かれる。そして、切欠き２４および溝２５は角材１８の長手方向（紙面に垂直な方向）全体にわたって形成される。化粧シート４４は、コーナー材３が曲げられ出隅または入隅に使用された際の露出面に設けられるが、たとえば範囲Ｒに貼着される。第１の溝２６の二つのＶ字状の溝の夾角は、４５度に形成される。
【００５６】
以上の構造を有する第３実施形態のコーナー材３は、次のように作用する。すなわち、図８において、第１の溝２６は略Ｍ字状に形成され、この第１の溝の二つの最下部２６ａは、化粧シート４４の裏面に達するまで切り欠かれる。そして、化粧シート４４は可撓性を有するので、このコーナー材３を第１の溝２６のところで曲げることにより第１の溝２６に対応する角材の外側部分は平面（図９、１０における符号２９）となる。さらに、第２の溝２７は、第１の溝２６に延在し９０度の夾角を有するので、コーナー材３を９０度曲げることができ、９０度の夾角を形成する面２８は当接する。
【００５７】
このとき、角材の表側の両角の切欠き２４は、上記当接面２８を境に線対称に位置し、二つの切欠き２４は互いに９０度のずれをもって位置しているので、これら二つの切欠き２４に幅木を突き合わせることにより出隅または入隅を形成できる。先のコーナー材２と同様に、このコーナー材３を使用することにより壁の出隅または入隅を効率良く形成でき施工性が良い。
【００５８】
また、コーナー材３の曲げられた部分は、平面２９（図９、１０）となるので異物や人の衝突による傷害の危険性が小さい。また、本コーナー材３は、運搬ないし輸送の際に、曲げる前の比較的平坦な部材の状態で重ねた束とすることにより、運搬ないし輸送の効率を良くすることができる。そして、曲げられたコーナー材３の形状は、多角状に曲げられた隅形状となり高級感のある出隅または入隅が得られる。
【００５９】
次に、第３実施形態のコーナー材３の製造方法について、図８を使用して説明する。コーナー材３の製造方法は、先ず断面略矩形の角材を準備し、その表側の両角２１に、横断面が矩形状になるように切欠き２４を切り欠く。さらに、切欠き２４を形成した角材の表側２０で、所定の範囲Ｒに化粧シート４４を貼着する。次に、角材１８の裏面２２側に第２の溝２７を形成する。第２の溝２７を形成した後、さらに第１の溝２６を形成する。この場合、第１の溝２６の最下部２６ａは、化粧シート４４の裏面に達するまで切削される。このようにして、コーナー材３が製造される。
【００６０】
図９は、第３実施形態のコーナー材３を使用した出隅構造を示す断面図である。コーナー材３を使用した壁の出隅構造は、コーナー材３、このコーナー材３の切欠き２４の二辺（面）のうち先端側辺（または先端側面）２４ａに突き合わせされる幅木３６およびコーナー材３の切欠き２４と溝２５との間に形成された突起３１の端面３２に突き合わせされる石膏ボード４２および二つの突起３１で形成されるＬ字状の凹み４０に当接される柱４６などで形成される。また、コーナー材の縁３９と幅木３６の表面との間に距離を設けて、いわゆる「散り」を設ければ意匠的に好ましい形状となる。なお、先に記したように、石膏ボードの表面４３には化粧シートが設けられる。
【００６１】
図１０は、第３実施形態のコーナー材３を使用した壁の入隅構造を示す断面図である。この壁の入隅構造は、柱４６およびこれに添わせた二つの添柱４８、４８で形成された隅に設けられるもので、これら柱４６および添柱４８、第３実施形態のコーナー材３、切欠き２４の二辺（面）のうち本体側辺（または本体側面）２４ｂに突き合わせされる幅木３６および石膏ボード４２で形成される。突起３１の端面３２は添柱４８に当接する。コーナー材３の凹み４０と二つの添柱４８の間には空間４１が形成される。このように、突起３１を幅木３６の厚さと石こうボード４２の厚さの和と等しい寸法にすることにより図４に示すような裏当材５０を設けずに壁の入隅構造を形成できる。
【００６２】
図８の第３実施形態のコーナー材３およびこれを使用した図９、１０の壁の出隅構造または壁の入隅構造において、その他の部分の構造と作用は、図１〜５に示した第１実施形態のコーナー材１およびこれを使用した壁の隅構造と同じであるので、その説明を省略する。
【００６３】
以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。
【００６４】
【発明の効果】
本発明によれば、壁の出隅と入隅の両方に使用でき、施工性の良い壁の隅構造を得ることができる。
【図面の簡単な説明】
【図１】本発明に係るコーナー材の第１実施形態を示す断面図である。
【図２】第１実施形態のコーナー材を使用した壁の出隅構造を示す斜視図である。
【図３】図２における平面Ｐで切断した断面図である。
【図４】第１実施形態のコーナー材を使用した壁の入隅構造を示す断面図である。
【図５】第１実施形態のコーナー材を使用した別の出隅構造を示す断面図である。
【図６】本発明に係るコーナー材の第２実施形態を示す断面図である。
【図７】第２実施形態のコーナー材を曲げた状態の断面図である。
【図８】本発明に係るコーナー材の第３実施形態を示す断面図である。
【図９】第３実施形態のコーナー材を使用した出隅構造を示す断面図である。
【図１０】第３実施形態のコーナー材を使用した壁の入隅構造を示す断面図である。
【図１１】従来技術に係る壁の隅構造を示し、（Ａ）は出隅構造の断面図、（Ｂ）は入隅構造の断面図である。
【符号の説明】
１、２、３  コーナー材
４  角材
６  一方の相対向する角
７  他方の相対向する角
９  第１の切欠き
１１  円弧面（曲面）
１３  第２の切欠き
１８  角材
２０  表側（一方の側）
２２  裏側（他方の側）
２４  切欠き
２５  溝
２６  第１の溝
２７  第２の溝
３０  第１の溝に対応する角材
３３  長手方向
３４  軟質材
３６  幅木（化粧材）
４２  石膏ボード（壁下地材）
４４  化粧シート
４６  柱
５０、５１  裏当材
【図１】
2004162347.tif 000003
【図２】
2004162347.tif 000004
【図３】
2004162347.tif 000005
【図４】
2004162347.tif 000006
【図５】
2004162347.tif 000007
【図６】
2004162347.tif 000008
【図７】
2004162347.tif 000009
【図８】
2004162347.tif 000010
【図９】
2004162347.tif 000011
【図１０】
2004162347.tif 000012
【図１１】
2004162347.tif 000013